Podtech/llm-jp-corpus-v4-ja_patent huggingface dataset:
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
1つまたは複数の受信機に送信されるべきサイドリンク送信に関連付けられたサイドリンク制御情報(SCI)を識別するステップであって、前記SCIが、ビットのセットを有する1つまたは複数のフィールドを備える、ステップと、
前記SCI内の前記1つまたは複数のフィールドに対する巡回冗長検査(CRC)を計算するステップと、
前記ビットのセットのサブセットおよび前記計算されたCRCに少なくとも部分的に基づいて、前記サイドリンク送信を送信する際に使用するための復調基準信号(DMRS)シーケンスを識別するステップと、
前記SCIおよび前記計算されたCRCを前記1つまたは複数の受信機に送信するステップと、
前記識別されたDMRSシーケンスに少なくとも部分的に基づいて、前記サイドリンク送信を送信するステップと
を備える方法。
【請求項２】
前記ビットのサブセットが、前記CRCの所定の数の最下位ビットまたは前記CRCの所定の数の最上位ビットを備える、請求項1に記載の方法。
【請求項３】
前記DMRSシーケンスが、前記ビットのサブセットと前記DMRSシーケンスとの間のマッピングに少なくとも部分的に基づいて識別される、請求項1に記載の方法。
【請求項４】
前記マッピングが、
前記ビットのサブセットの値を決定するステップと、
前記ビットのサブセットの前記値が前記DMRSシーケンスに関連付けられた値範囲内に入ると決定するステップと
を備える、請求項3に記載の方法。
【請求項５】
前記方法が送信ユーザ機器(UE)によって実行され、前記1つまたは複数の受信機が、デバイス間構成で動作する1つまたは複数の受信UEを備える、請求項1に記載の方法。
【請求項６】
ワイヤレス通信のための方法であって、
送信機からサイドリンク制御情報(SCI)送信および複数の巡回冗長検査(CRC)ビットを受信するステップであって、前記SCIが、ビットのセットを有する1つまたは複数のフィールドを備える、ステップと、
前記ビットのセットのサブセットおよび前記複数のCRCビットに少なくとも部分的に基づいて、前記SCIに関連付けられたサイドリンク送信を復調する際に使用するための復調基準信号(DMRS)シーケンスを識別するステップと、
前記サイドリンク送信を受信するステップと、
前記識別されたDMRSシーケンスに少なくとも部分的に基づいて、前記サイドリンク送信を復調するステップと
を備える方法。
【請求項７】
前記ビットのサブセットが、前記CRCの所定の数の最下位ビットまたは前記CRCの所定の数の最上位ビットを備える、請求項6に記載の方法。
【請求項８】
前記DMRSシーケンスが、前記ビットのサブセットと前記DMRSシーケンスとの間のマッピングに少なくとも部分的に基づいて識別される、請求項6に記載の方法。
【請求項９】
前記マッピングが、
前記ビットのサブセットの値を決定するステップと、
前記ビットのサブセットの前記値が前記DMRSシーケンスに関連付けられた値範囲内に入ると決定するステップと
を備える、請求項8に記載の方法。
【請求項１０】
前記方法が受信ユーザ機器(UE)によって実行され、送信機が、デバイス間構成で動作する送信UEを備える、請求項6に記載の方法。
【請求項１１】
ワイヤレス通信のための装置であって、
1つまたは複数の受信機に送信されるべきサイドリンク送信に関連付けられたサイドリンク制御情報(SCI)を識別するための手段であって、前記SCIがビットのセットを有する1つまたは複数のフィールドを備える、手段と、
前記SCI内の1つまたは複数のフィールドに対する巡回冗長検査(CRC)を計算するための手段と、
前記ビットのセットのサブセットおよび前記計算されたCRCに少なくとも部分的に基づいて、前記サイドリンク送信を送信する際に使用するための復調基準信号(DMRS)シーケンスを識別するための手段と、
前記SCIおよび前記計算されたCRCを前記1つまたは複数の受信機に送信するための手段と、
前記識別されたDMRSシーケンスに少なくとも部分的に基づいて、前記サイドリンク送信を送信するための手段と
を備える装置。
【請求項１２】
ワイヤレス通信のための装置であって、
送信機からサイドリンク制御情報(SCI)送信および複数の巡回冗長検査(CRC)ビットを受信するための手段であって、前記SCIが、ビットのセットを有する1つまたは複数のフィールドを備える、手段と、
前記ビットのセットのサブセットおよび前記複数のCRCビットに少なくとも部分的に基づいて、前記SCIに関連付けられたサイドリンク送信を復調する際に使用するための復調基準信号(DMRS)シーケンスを識別するための手段と、
前記サイドリンク送信を受信するための手段と、
前記識別されたDMRSシーケンスに少なくとも部分的に基づいて、前記サイドリンク送信を復調するための手段と
を備える装置。
【請求項１３】
ユーザ機器(UE)によって実行されると、前記UEに請求項１〜５または６〜１０のいずれか一項に記載の方法を実行させるコードを備えるワイヤレス通信のためのコンピュータ可読記憶媒体。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
コンピュータ実施方法であって、
１つ以上のプロセッサによって、少なくとも２人のゲームのプレイヤー間のスキル格差を識別するステップと、
前記プロセッサのうちの１つ以上によって、前記スキル格差が前記ゲームの結果に対して及ぼす影響を軽減するための、照明スキームを選択するステップと、
前記プロセッサのうちの１つ以上によって、１つ以上の光源を、前記照明スキームに従って周囲光を放出するように動作させるステップと、を含み、
前記照明スキームが、前記少なくとも２人のプレイヤーのうちの第１のプレイヤーの前記ゲームをプレイする能力を阻害又は増進するように選択された放出光の特性を含む、方法。
【請求項２】
前記プロセッサのうちの１つ以上によって、複数の光源から、前記複数の光源に対する前記少なくとも２人のプレイヤーの位置に基づいて、前記１つ以上の光源を選択するステップを含む、請求項１に記載の方法。
【請求項３】
前記１つ以上の光源が、第２のプレイヤーに関連付けられた第２のレベルのスキルとは異なる、第１のレベルのスキルを有する第１のプレイヤーに向けて、光を放出する、請求項２に記載の方法。
【請求項４】
前記放出光の特性が、強度レベルを含む、請求項３に記載の方法。
【請求項５】
前記放出光の特性が、前記第１のプレイヤーの気を散らすための、グレア又は動的照明効果を含む、請求項３に記載の方法。
【請求項６】
前記１つ以上の光源が、前記ゲームに関連付けられる空間境界を画定するために使用される、請求項２に記載の方法。
【請求項７】
前記１つ以上の光源が、前記空間境界によって画定される空間の、１つ以上の寸法を変更するように選択される、請求項６に記載の方法。
【請求項８】
前記１つ以上の光源が、前記空間境界によって画定される空間の、１つ以上の寸法を変更するように、又は、前記空間境界を隠蔽するように動作される、請求項６に記載の方法。
【請求項９】
前記少なくとも２人のプレイヤー間のゲームプレイを、継続的に監視するステップと、継続的な前記監視に基づいて、新たな照明スキームを選択するステップとを含む、請求項１に記載の方法。
【請求項１０】
前記１つ以上の光源が、前記ゲームをプレイするために使用される移動物体と一体である、請求項１に記載の方法。
【請求項１１】
１つ以上の光源と、
前記１つ以上の光源と動作可能に結合される論理回路と、
を備えるシステムであって、
前記論理回路は、
少なくとも１人のゲームのプレイヤーのスキルレベルを識別する、
前記少なくとも１人のプレイヤーの前記スキルレベルが前記ゲームの結果に対して及ぼす影響を変更するための、周囲照明スキームを選択する、及び
前記１つ以上の光源を、前記周囲照明スキームに従って光を放出するように動作させる、ように構成され、
前記周囲照明スキームが、前記少なくとも１人のプレイヤーの前記ゲームをプレイする能力を阻害又は増進するように選択された放出光の特性を含む、システム。
【請求項１２】
前記論理回路と動作可能に結合されている、ゲームコンピューティングデバイスを備え、前記ゲームが、前記ゲームコンピューティングデバイスによって操作されるビデオゲームを含み、前記論理回路が、前記ゲームコンピューティングデバイスから得られたデータに基づいて、前記少なくとも１人のプレイヤーの前記スキルレベルを識別する、請求項１１に記載のシステム。
【請求項１３】
前記少なくとも１人のプレイヤーが、複数のリモートの場所にわたって分散されている複数のプレイヤーを含み、前記１つ以上の光源が、前記複数のリモートの場所のそれぞれにおける、少なくとも１つの光源を含む、請求項１１に記載のシステム。
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
表４Ｂに記載される配列またはそれと少なくとも５０％の配列同一性を有する配列を含み、ＣＤＲアミノ酸配列が、配列番号１〜６；配列番号１、２、８０、４〜６；配列番号１、２、８０〜８３または配列番号７４〜７９で示される、ヒト化抗体。
【請求項２】
ｉ）配列番号４４、４６、４８、５０、５２および５４のいずれか１つで示されるアミノ酸配列；ｉｉ）配列番号４４、４６、４８、５０、５２および５４のいずれか１つと少なくとも６０％、少なくとも７０％、少なくとも８０％もしくは少なくとも９０％の配列同一性を有し、前記ＣＤＲ配列がそこの下線部分で（配列番号７４〜７６でも）示される配列である、アミノ酸配列、またはｉｉｉ）前記ＣＤＲ配列がそこの下線部分（例えば、配列番号７４〜７６）で示される配列である、保存的に置換されたｉ）のアミノ酸配列を含む重鎖可変領域；および／または
ｉ）配列番号５８、６０、６２、６４、６６および６８のいずれか１つで示されるアミノ酸配列、ｉｉ）配列番号５８、６０、６２、６４、６６および６８のいずれか１つと少なくとも５０％、少なくとも６０％、少なくとも７０％、少なくとも８０％もしくは少なくとも９０％の配列同一性を有し、前記ＣＤＲ配列がそこの下線部分で（配列番号７７〜７９でも）示される配列である、アミノ酸配列、またはｉｉｉ）前記ＣＤＲ配列がそこの下線部分で（配列番号７７〜７９でも）示される配列である、保存的に置換されたｉ）のアミノ酸配列を含む軽鎖可変領域；
を含む、請求項１に記載のヒト化抗体。
【請求項３】
前記重鎖可変領域のアミノ酸配列が、配列番号４３、４５、４７、４９、５１および５３のいずれか１つで示されるヌクレオチド配列；またはそのコドン縮重型もしくはコドン最適化型によってコードされ；かつ／あるいは前記抗体が、配列番号５７、５９、６１、６３、６５および６７のいずれか１つで示されるヌクレオチド配列またはそのコドン縮重型もしくはコドン最適化型によってコードされる軽鎖可変領域のアミノ酸配列を含む、請求項１または２に記載のヒト化抗体。
【請求項４】
配列番号４４と５８；配列番号４６と６０；配列番号４８と６２；配列番号５０と６４；配列番号５２と６６；もしくは配列番号５４と６８またはそれと少なくとも６０％、少なくとも７０％、少なくとも８０％もしくは少なくとも９０％の配列同一性を有する配列を有する配列を含み、前記ＣＤＲがそこの下線部分で（配列番号７４〜７９でも）示される通りに維持されている、請求項１〜３のいずれか１項に記載のヒト化抗体。
【請求項５】
表４Ｂに示される重鎖可変配列と軽鎖可変配列とを有する、請求項１に記載のヒト化抗体。
【請求項６】
任意選択で融合していてもよい軽鎖可変領域と重鎖可変領域とを含む、単離抗体であって、前記重鎖可変領域が、相補性決定領域ＣＤＲ−Ｈ１、ＣＤＲ−Ｈ２およびＣＤＲ−Ｈ３を含み、前記軽鎖可変領域が、相補性決定領域ＣＤＲ−Ｌ１、ＣＤＲ−Ｌ２およびＣＤＲ−Ｌ３を含み、前記ＣＤＲのアミノ酸配列が、配列番号１〜６；または配列番号１、２、８０および４〜６または配列番号１、２、８０〜８３の配列を含むか、これよりなる、単離抗体。
【請求項７】
一本鎖抗体である、請求項１〜６のいずれか１項に記載の抗体。
【請求項８】
請求項１〜７のいずれか１項に記載の抗体と、検出可能な標識または細胞毒性物質と、を含む、イムノコンジュゲートであって、好ましくは、前記検出可能な標識は、任意選択でＰＥＴ撮像などの対象の撮像に使用するためのものであってもよい、陽電子放出放射性核種を含む、イムノコンジュゲート。
【請求項９】
任意選択で希釈剤とともに、請求項１〜７のいずれか１項に記載の抗体または請求項８に記載のイムノコンジュゲートを含む、組成物。
【請求項１０】
請求項１〜７のいずれか１項に記載の抗体をコードする、核酸分子、または前記核酸分子を含むベクター。
【請求項１１】
請求項１〜７のいずれか１項に記載のヒト化抗体を発現する、細胞。
【請求項１２】
請求項１〜７のいずれか１項に記載の抗体、請求項１０に記載の核酸分子もしくはベクターまたは請求項１１に記載の細胞を含む、キット。
【請求項１３】
対象のＡベータのレベルを測定する方法であって、
ＡＤを有するリスクもしくは疑いがある、またはＡＤを有する対象に、検出可能な標識に前記抗体がコンジュゲートされている請求項８に記載のイムノコンジュゲートを投与することと、
前記標識を検出すること、任意選択で前記標識を定量的に検出することと
を含み、任意選択で前記標識は陽電子放出放射性核種であってもよい、方法。
【請求項１４】
Ａベータオリゴマーの伝播を阻害するのに使用するための請求項１〜７のいずれか１項に記載の抗体。
【請求項１５】
好ましくは脳またはＣＮＳの他の部分に直接投与される、ＡＤおよび／またはその他のＡベータアミロイド関連疾患を治療するのに使用するための請求項１〜７のいずれか１項に記載の抗体、前記抗体を含む医薬組成物または請求項１０に記載の核酸分子もしくはベクター。
【請求項１６】
治療対象由来の生体試料が、Ａベータの有無またはレベルに関して評価される、請求項１５に記載の抗体、医薬組成物、核酸もしくはベクター。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
細胞内のゲノムを編集する方法であって、（a）制御因子を含む第１の核酸および（b）ヌクレアーゼまたはヌクレアーゼをコードする第２の核酸を細胞に提供することを含み、前記ヌクレアーゼは細胞ゲノムのFOXP3遺伝子の第１のコーディングエクソン内またはそれより上流の標的遺伝子座を切断でき、前記細胞ゲノムは制御因子がFOXP3遺伝子に作動可能に連結するように編集され、遺伝子組換え細胞が作製されることを特徴とする方法。
【請求項２】
前記標的遺伝子座が、（a）FOXP3遺伝子の１つ以上の制御因子の下流または（b）FOXP3遺伝子の胸腺特異的脱メチル化領域の下流に存在する、請求項１に記載の方法。
【請求項３】
前記標的遺伝子座が、FOXP3遺伝子の第１のコーディングエクソン内に存在する、請求項１に記載の方法。
【請求項４】
前記ヌクレアーゼが、Cas9、ジンクフィンガーヌクレアーゼまたはTALENである、請求項１〜３のいずれか１項に記載の方法。
【請求項５】
前記制御因子が、異種プロモーターまたは異種転写エンハンサーである、請求項１〜４のいずれか１項に記載の方法。
【請求項６】
前記異種プロモーターが、構成的プロモーターである、請求項５に記載の方法。
【請求項７】
前記構成的プロモーターが、EF1αプロモーター、PGKプロモーターまたはMNDプロモーターである、請求項６に記載の方法。
【請求項８】
前記異種プロモーターが、誘導型プロモーターである、請求項５に記載の方法。
【請求項９】
前記細胞が、前駆・幹細胞、造血幹細胞、ＣＤ４＋発現細胞、ＣＤ８＋発現細胞または制御性Ｔ細胞である、請求項１〜８のいずれか１項に記載の方法。
【請求項１０】
前記細胞がＣＤ４＋発現細胞であり、前記制御因子が構成的プロモーターである、請求項１〜７のいずれか１項に記載の方法。
【請求項１１】
前記遺伝子組換え細胞が、制御性Ｔ細胞の表現型を有する、請求項１０に記載の方法。
【請求項１２】
細胞内のゲノムを編集する方法であって、ヌクレアーゼまたはヌクレアーゼをコードする核酸を細胞に提供することを含み、前記ヌクレアーゼは細胞ゲノムのFOXP3遺伝子の制御因子の位置で標的遺伝子座を切断でき、細胞がFOXP3の安定発現のために編集され、遺伝子組換え細胞が作製されることを特徴とする方法。
【請求項１３】
前記細胞がＣＤ４＋発現細胞であり、前記制御因子がFOXP3の安定発現を与えるために改変されている、請求項１２に記載の方法。
【請求項１４】
前記遺伝子組換え細胞が、制御性Ｔ細胞の表現型を有する、請求項１３に記載の方法。
【請求項１５】
前記ヌクレアーゼが、Cas9、ジンクフィンガーヌクレアーゼまたはTALENである、請求項１２〜１４のいずれか１項に記載の方法。
【請求項１６】
細胞ゲノムのFOXP3遺伝子に作動可能に連結され、FOXP3遺伝子の第１のコーディングエクソンの上流に存在する異種プロモーターを含む細胞。
【請求項１７】
前記異種プロモーターが、（a）FOXP3遺伝子の１つ以上の制御因子の下流または（b）FOXP3遺伝子の胸腺特異的脱メチル化領域の下流に存在する、請求項１６に記載の細胞。
【請求項１８】
前記細胞が、前駆・幹細胞、造血幹細胞、ＣＤ４＋発現細胞、ＣＤ８＋発現細胞または制御性Ｔ細胞である、請求項１６または１７に記載の細胞。
【請求項１９】
前記細胞がＣＤ４＋発現細胞であり、前記異種プロモーターが構成的プロモーターである、請求項１６または１７に記載の細胞。
【請求項２０】
制御性Ｔ細胞の表現型を有する、請求項１９に記載の細胞。
【請求項２１】
（a）制御因子を含む第１の異種核酸および（b）異種ヌクレアーゼまたは異種ヌクレアーゼをコードする第２の異種核酸を含む細胞であって、前記ヌクレアーゼは細胞ゲノムのFOXP3遺伝子の第１のコーディングエクソン内またはそれより上流の標的遺伝子座を切断できることを特徴とする細胞。
【請求項２２】
前記細胞が、前駆・幹細胞、造血幹細胞、ＣＤ４＋発現細胞、ＣＤ８＋発現細胞または制御性Ｔ細胞である、請求項２１に記載の細胞。
【請求項２３】
前記細胞がＣＤ４＋発現細胞であり、前記制御因子が構成的プロモーターである、請求項２１に記載の細胞。
【請求項２４】
請求項１〜１５のいずれか１項に記載の方法によってゲノム編集された細胞から作製された遺伝子組換え細胞。
【請求項２５】
前記細胞が、前駆・幹細胞、造血幹細胞、ＣＤ４＋発現細胞、ＣＤ８＋発現細胞または制御性Ｔ細胞である、請求項２４に記載の遺伝子組換え細胞。
【請求項２６】
前記細胞がＣＤ４＋発現細胞であり、構成的プロモーターを含む、請求項２４に記載の遺伝子組換え細胞。
【請求項２７】
制御性Ｔ細胞の表現型を有する、請求項２６に記載の遺伝子組換え細胞。
【請求項２８】
請求項１６〜２７のいずれか１項に記載の細胞を含む組成物。
【請求項２９】
対象における自己免疫疾患の治療、抑制または緩和に使用するための、請求項２８に記載の組成物。
【請求項３０】
前記自己免疫疾患が、関節リウマチ、糖尿病、炎症性腸疾患、IPEX、免疫制御異常、多内分泌腺症、腸疾患、Ｘ連鎖（IPEX）症候群、クローン病、多発性硬化症、特発性エリテマトーデスまたは全身性エリテマトーデスである、請求項２９に記載の使用するための組成物。
【請求項３１】
前記自己免疫疾患が、IPEXである、請求項３０に記載の使用するための組成物。
【請求項３２】
前記自己免疫疾患が、全身性エリテマトーデスである、請求項３０に記載の使用するための組成物。
【請求項３３】
対象における臓器移植の副作用の治療、抑制または緩和に使用するための、請求項２８に記載の組成物。
【請求項３４】
前記細胞が前記対象から採取された細胞である、請求項２９〜３３のいずれかに記載の使用するための組成物。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
対象において肺腫瘍の再発を検出するための対象特異的方法であって、
ａ）対象の肺腫瘍のゲノム又はエクソームの全て又は一部をシークエンシングして、前記腫瘍におけるクローン性及び／又はサブクローン性変異を定義すること、
ｂ）前記クローン性及び／又はサブクローン性変異の存在を介して前記腫瘍からのＤＮＡの存在を検出する試薬のセットを定義すること、
ｃ）前記試薬のセットを使用して、肺腫瘍除去後に前記対象から得られた前記腫瘍からのＤＮＡを含む試料を解析して、前記腫瘍が再発したか否かの指標として前記試料中の前記クローン性及び／又はサブクローン性変異を検出すること
を含む、方法。
【請求項２】
対象における肺腫瘍の再発を検出するための試薬のセットを定義する対象特異的方法であって、
ａ）前記対象の肺腫瘍のゲノム又はエクソームの全て又は一部をシークエンシングすること、
ｂ）前記腫瘍におけるクローン性及び／又はサブクローン性変異を定義すること、及び
ｃ）前記対象からの試料における前記クローン性及び／又はサブクローン性変異の存在を検出する試薬のセットを定義すること
を含む、方法。
【請求項３】
対象において肺腫瘍の再発を検出するための対象特異的方法であって、前記腫瘍からクローン性及び／又はサブクローン性変異の存在を検出する試薬の対象特異的セットを用いて、肺腫瘍の除去後の前記対象から得られた試料中のＤＮＡを解析して、前記腫瘍が再発したか否かの指標として前記試料中の前記腫瘍からの前記クローン性及び／又はサブクローン性変異を検出することを含む、方法。
【請求項４】
前記シークエンシングが、前記対象からの腫瘍生検、前記腫瘍若しくは前記腫瘍の１つ若しくは複数の小区分の全て若しくは一部、又は無細胞ＤＮＡ（ｃｆＤＮＡ）、循環性腫瘍ＤＮＡ、エキソソーム由来腫瘍ＤＮＡ若しくは循環性腫瘍細胞に対して実行される、請求項１又は２に記載の方法。
【請求項５】
前記シークエンシングが、前記腫瘍の除去後に前記腫瘍又はその小区分に対して実行される、請求項４に記載の方法。
【請求項６】
解析される前記試料が、ｃｆＤＮＡ、循環性腫瘍ＤＮＡ、エキソソーム由来腫瘍ＤＮＡ又は循環性腫瘍細胞を含む、請求項１又は３に記載の方法。
【請求項７】
前記腫瘍の少なくとも２つの小区分のゲノム又はエクソームの全て又は一部がシークエンシングされ、且つ、クローン性及び／又はサブクローン性変異が、どの変異がどの腫瘍小区分において起こっているかに基づいて定義される、請求項１又は２に記載の方法。
【請求項８】
前記腫瘍における前記クローン性及び／又はサブクローン性変異が、前記腫瘍の最大１０の小区分のゲノム又はエクソームをシークエンシングすることによって定義される、請求項７に記載の方法。
【請求項９】
前記クローン性及び／又はサブクローン性変異が単一ヌクレオチド変異（ＳＮＶ）の変異である、請求項１〜８の何れか１項に記載の方法。
【請求項１０】
前記試薬のセットがマルチプレックスＰＣＲプライマーのセットであり、且つ、前記解析がマルチプレックスＰＣＲである、請求項１〜９の何れか１項に記載の方法。
【請求項１１】
前記試薬のセットを合成することをさらに含む、請求項１〜１０の何れか１項に記載の方法。
【請求項１２】
前記対象の非腫瘍ゲノム又はエクソームの全て又は一部をシークエンシングすること、及びこれを前記腫瘍のゲノム又はエクソーム配列と比較して、前記対象の腫瘍中に見出される前記クローン性／サブクローン性変異を定義することをさらに含む、請求項１、２、及び４〜１１の何れか１項に記載の方法。
【請求項１３】
前記検出試薬のセットが、少なくとも１つ又は少なくとも２つのクローン性変異を検出するものである、請求項１〜１２の何れか１項に記載の方法。
【請求項１４】
前記検出試薬のセットが、前記腫瘍の各小区分に特徴的な少なくとも１つの変異を検出するものである、請求項４〜１３の何れか１項に記載の方法。
【請求項１５】
クローン性及びサブクローン性変異が、前記腫瘍の前記クローン性／サブクローン性変異のプロファイルを定義する系統発生ツリーに集約される、請求項１〜１４の何れか１項に記載の方法。
【請求項１６】
前記検出試薬のセットが、系統発生ツリーの幹に特徴的な少なくとも１つの変異及び前記系統発生ツリーの各枝に特徴的な少なくとも１つの変異を検出することができるものである、請求項１３に記載の方法。
【請求項１７】
前記腫瘍からの前記ＤＮＡの全ゲノム若しくはエクソーム及び／又は前記少なくとも２つの腫瘍小区分の全エクソーム及び／又は前記対象の全非腫瘍エクソームがシークエンシングされる、請求項１、２、及び４〜１６の何れか１項に記載の方法。
【請求項１８】
前記ゲノム又はエクソームの一部がシークエンシングされて、前記対象のｃｆＤＮＡにおける前記対象の腫瘍からの早期クローン性変異が同定される、請求項１〜１７の何れか１項に記載の方法。
【請求項１９】
前記早期クローン性変異が、高信頼性ゲノム倍加前事象として分類される遺伝子中の体細胞ＳＮＶ及び／又は高信頼性早期（ゲノム倍加前）増幅事象に関与するとして分類される染色体領域中の体細胞ＳＮＶである、請求項１８に記載の方法。
【請求項２０】
変異が、表１の遺伝子の１つ又は複数において検出される、請求項１８又は１９に記載の方法。
【請求項２１】
前記肺腫瘍が非小細胞肺腫瘍である、請求項１〜２０の何れか１項に記載の方法。
【請求項２２】
前記非小細胞肺腫瘍が、扁平細胞癌、腺癌又は大細胞癌腫である、請求項２１に記載の方法。
【請求項２３】
前記シークエンシングが、前記対象から得られた血漿に対して実行され、又は、解析される前記試料が、前記対象からの血漿試料である、請求項１〜２２の何れか１項に記載の方法。
【請求項２４】
前記解析が、前記腫瘍の除去から、少なくとも４８時間、４８時間〜７日、７〜１４日、１４日〜１ヶ月、１〜２ヶ月、２〜６ヶ月、６ヶ月〜１年又は１年を超えた時点で実行される、請求項１〜２３の何れか１項に記載の方法。
【請求項２５】
前記（ｃ）の解析が、期間にわたって複数の時に実行される、請求項１〜２４の何れか１項に記載の方法。
【請求項２６】
前記対象がヒト対象である、請求項１〜２５のいずれか１項に記載の方法。
【請求項２７】
請求項１、２、及び４〜２６の何れか１項に記載の方法により得られた又は得られる、対象のｃｆＤＮＡにおける肺腫瘍からのクローン性及び／又はサブクローン性変異を検出するための対象特異的検出試薬のセット。
【請求項２８】
マルチプレックスＰＣＲ反応において使用するためのマルチプレックスプライマーのセットである、請求項２７に記載の検出試薬のセット。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
参照ポリケチドと比較して酵素活性が改変された１つまたは複数の異種モジュールを備える、遺伝子操作されたポリケチドシンターゼであって、遺伝子操作されたポリケチドシンターゼが、遺伝子操作されたポリケチドシンターゼによる化合物の発現を可能にするのに適した条件下で発現された場合にポリケチドを生産することができ、
（ａ）１つまたは複数の異種モジュールが、ポリケチド生合成の間にポリケチドの転位を実質的に阻害しない；
（ｂ）１つまたは複数の異種モジュールが、それに隣接するモジュールの連結配列と互換性がある連結配列を備える；または
（ｃ）遺伝子操作されたポリケチドシンターゼのポリケチド発現レベルが、参照ポリケチドシンターゼのポリケチド発現レベルの少なくとも１％である、遺伝子操作されたポリケチドシンターゼ。
【請求項２】
１つまたは複数の異種モジュールが、ネイティブ連結配列を備える、請求項１に記載の遺伝子操作されたポリケチドシンターゼ。
【請求項３】
２つ以上の異種モジュールを備える、請求項１に記載の遺伝子操作されたポリケチドシンターゼ。
【請求項４】
２つ以上の異種モジュールが隣接している、請求項３に記載の遺伝子操作されたポリケチドシンターゼ。
【請求項５】
３つ以上の異種モジュールを備える、請求項１に記載の遺伝子操作されたポリケチドシンターゼ。
【請求項６】
３つ以上の異種モジュールが隣接している、請求項５に記載の遺伝子操作されたポリケチドシンターゼ。
【請求項７】
異種モジュールが、ポリケチドの可変領域内のβ−カルボニルユニットを修飾する延長モジュールである、請求項１に記載の遺伝子操作されたポリケチドシンターゼ。
【請求項８】
１つまたは複数の異種モジュールの少なくとも１つが、配列番号１〜１６５のいずれか１つに対して少なくとも９０％の同一性を有する部分を備える、請求項１に記載の遺伝子操作されたポリケチドシンターゼ。
【請求項９】
１つまたは複数の異種モジュールの少なくとも１つが、配列番号１〜１６５のいずれか１つの配列を有する部分を備える、請求項１に記載の遺伝子操作されたポリケチドシンターゼ。
【請求項１０】
キメラポリケチドシンターゼの少なくとも１つのモジュールが、配列番号１６６または１６７の配列を有するポリケチドシンターゼと比較して修飾されている、キメラポリケチドシンターゼ。
【請求項１１】
請求項１乃至１０のいずれか１項に記載のポリケチドシンターゼをコードする核酸。
【請求項１２】
請求項１１に記載の核酸を備える発現ベクター。
【請求項１３】
請求項１２に記載の発現ベクターを備える宿主細胞。
【請求項１４】
ポリケチドが宿主細胞に対して異種である、請求項１乃至１０のいずれか１項に記載のポリケチドシンターゼを備える宿主細胞。
【請求項１５】
請求項１３の宿主細胞を、ポリケチドシンターゼがポリケチド化合物を生産するのに適した条件下で培養する工程を備える、ポリケチドを生産する方法。
【請求項１６】
請求項１４に記載の宿主細胞を、ポリケチドシンターゼがポリケチド化合物を生産するのに適した条件下で培養する工程を備える、ポリケチドを生産する方法。
【請求項１７】
（ａ）化合物を生産することが可能な親ポリケチドシンターゼ配列を提供する工程、
（ｂ）第２のポリケチドシンターゼの少なくとも１つのモジュールと親ポリケチドシンターゼの少なくとも２つのモジュールとの互換性を判定する工程、
（ｃ）修飾されたポリケチドシンターゼをコードする核酸を生産する工程であって、修飾されたポリケチドシンターゼが、親ポリケチドシンターゼの少なくとも２つのモジュールと互換性があると判定されている第２のポリケチドシンターゼの少なくとも１つのモジュールを備える、工程
を備える、化合物を生産する方法。
【請求項１８】
（ａ）親ポリケチドシンターゼをコードする親核酸を提供する工程、
（ｂ）親核酸を修飾して、化合物を生産することが可能な修飾されたポリケチドシンターゼをコードする修飾された核酸を生成させる工程であって、修飾によって、少なくとも１つの異種モジュールを備える修飾されたポリケチドシンターゼが生産される、工程
を備える、化合物を生産する方法。
【請求項１９】
（ａ）化合物を生産することが可能な親ポリヌクレオチド配列を提供する工程、
（ｂ）親ポリヌクレオチド配列内の１つまたは複数のモジュールの置き換えに適した１つまたは複数の異種モジュールを同定する工程、
（ｃ）工程（ｂ）で同定された少なくとも１つの異種モジュールを備える修飾されたポリケチドシンターゼをコードする核酸を生産する工程
を備える、化合物を生産する方法。
【請求項２０】
複数個のポリヌクレオチドを生産する方法であって、複数個のポリヌクレオチドの各々が、遺伝子操作されたポリケチドシンターゼに対応し、複数個のポリヌクレオチドの各々が、参照ポリケチドと比較して酵素活性が改変された１つまたは複数の異種モジュールを備え、前記方法が、
（ａ）ポリケチドシンターゼをコードする親ポリヌクレオチド配列を提供する工程、
（ｂ）親ポリヌクレオチド配列における置き換えのための１つまたは複数のモジュールを同定する工程、
（ｃ）工程（ｂ）で同定されたモジュールの各々の置き換えに適した２つ以上の異種モジュールを同定する工程、
（ｄ）複数個のポリヌクレオチドを生成する工程であって、複数個のポリヌクレオチドの各々が、遺伝子操作されたポリケチドシンターゼに対応し、複数個のポリヌクレオチドの各々が、工程（ｂ）で同定された置き換えようとする１つまたは複数のモジュールの各々の代わりに、工程（ｃ）で同定された２つ以上の異種モジュールから選択される異種モジュールを備える、工程
を備える方法。
【手続補正書】
【提出日】令和2年9月7日(2020.9.7)
【手続補正１】
【補正対象書類名】明細書
【補正対象項目名】０００５
【補正方法】変更
【補正の内容】
【０００５】
多能性幹細胞（ＰＳＣ）からのヒト肝細胞分化方法の斬新的進歩にもかかわらず、ヒト幹細胞を用いたディッシュでの臨床試験は依然として「誇大宣伝」である。有効性および／または毒性についての薬物スクリーニングのみならず、例えば、移植用のブリッジとして、また精密（個別化医療）用のブリッジとして、生体人工肝臓装置に使用されるための肝細胞モデルが必要とされている。本開示は、当該技術分野における前述の必要性のうちの１つ以上に対処しようと努めたものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１５／１８３９２０号
（特許文献２）  米国特許出願公開第２０１３／０１８９３２７号明細書
（特許文献３）  米国特許第２３９３９１７号明細書
（特許文献４）  国際公開第２０１０／０９４６９４号
（特許文献５）  米国特許出願公開第２０１６／０２３７４００号明細書
（特許文献６）  国際公開第２０１７／０４８１９３号
（特許文献７）  国際公開第２０１７／１５３９９２号
（特許文献８）  国際公開第２０１５／１８３９２０号
（特許文献９）  国際公開第２０１７／０４８１９３号
（特許文献１０）  国際公開第２０１６／０５６９９９号
（特許文献１１）  国際公開第２０１１／１１６９３０号
（非特許文献）
（非特許文献１）  Ｒａｍａｃｈａｎｄｒａｎ  ｅｔ  ａｌ． "Ｉｎ  Ｖｉｔｒｏ  Ｇｅｎｅｒａｔｉｏｎ  ｏｆ  Ｆｕｎｃｔｉｏｎａｌ  Ｌｉｖｅｒ  Ｏｒｇａｎｏｉｄ−Ｌｉｋｅ  Ｓｔｒｕｃｔｕｒｅｓ  Ｕｓｉｎｇ  Ａｄｕｌｔ  Ｈｕｍａｎ  Ｃｅｌｌｓ"  Ｐｌｏｓ  Ｏｎｅ，２１  Ｏｃｔｏｂｅｒ  ２０１５，Ｖｏｌ．１０，Ｎｏ．１０，ｐｇ．１−１４．
（非特許文献２）  Ｉｊｐｅｎｂｅｒｇ  ｅｔ  ａｌ．"Ｗｔ１  ａｎｄ  ｒｅｔｉｎｏｉｃ  ａｃｉｄ  ｓｉｇｎａｌｉｎｇ  ａｒｅ  ｅｓｓｅｎｔｉａｌ  ｆｏｒ  ｓｔｅｌｌａｔｅ  ｃｅｌｌ  ｄｅｖｅｌｏｐｍｅｎｔ  ａｎｄ  ｌｉｖｅｒ  ｍｏｒｐｈｏｇｅｎｅｓｉｓ"  Ｄｅｖｅｌｏｐｍｅｎｔａｌ  Ｂｉｏｌｏｇｙ．Ｖｏｌ  ３１２，Ｎｏ．１，Ｐｇ．１５７−１７０．
（非特許文献３）  Ｔｈｏｍａｓ  Ｊ．Ｃｕｎｎｉｎｇｈａｍ  ｅｔ  ａｌ．"Ｍｅｃｈａｎｉｓｍｓ  ｏｆ  ｒｅｔｉｎｏｉｃ  ａｃｉｄ  ｓｉｇｎａｌｉｎｇ  ａｎｄ  ｉｔｓ  ｒｏｌｅｓ  ｉｎ  ｏｒｇａｎ  ａｎｄ  ｌｉｍｂ  ｄｅｖｅｌｏｐｍｅｎｔ"．Ｎａｔ．Ｒｅｖ．Ｍｏｌ．Ｃｅｌｌ．Ｂｉｏｌ．Ｖｏｌ．１６，Ｎｏ．２，Ｐｇ．１１０−１２３．
（非特許文献４）  Ｙｕａｎ  Ｇｕａｎ  ｅｔ  ａｌ．"Ｈｕｍａｎ  ｈｅｐａｔｉｃ  ｏｒｇａｎｏｉｄｓ  ｆｏｒ  ｔｈｅ  ａｎａｌｙｓｉｓ  ｏｆ  ｈｕｍａｎ  ｇｅｎｅｔｉｃ  ｄｉｓｅａｓｅｓ"  ＪＣＩ  Ｉｎｓｉｇｈｔ．Ｖｏｌ．２，Ｎｏ．１７，  ｅ９４９５４．
（非特許文献５）  Ｒｉｃｈａｒｄ  Ｓｉｌｌｅｒ  ｅｔ  ａｌ．"Ｓｍａｌｌ−ｍｏｌｅｃｕｌｅ−ｄｒｉｖｅｎ  ｈｅｐａｔｏｃｙｔｅ  ｄｉｆｆｅｒｅｎｔｉａｔｉｏｎ  ｏｆ  ｈｕｍａｎ  ｐｌｕｒｉｐｏｔｅｎｔ  ｓｔｅｍ  ｃｅｌｌｓ"  Ｓｔｅｍ  Ｃｅｌｌ  Ｒｅｐｏｒｔｓ．Ｖｏｌ．４，Ｎｏ．５，Ｐｇ．９３９−９５２
（非特許文献６）  Ｔａｋａｎｏｒｉ  Ｔａｋｅｂｅ  ｅｔ  ａｌ．"Ｖａｓｃｕｌａｒｉｚｅｄ  ａｎｄ  ｆｕｎｃｔｉｏｎａｌ  ｈｕｍａｎ  ｌｉｖｅｒ  ｆｒｏｍ  ａｎ  ｉＰＳＣ−ｄｅｒｉｖｅｄ  ｏｒｇａｎ  ｂｕｄ  ｔｒａｎｓｐｌａｎｔ"  Ｎａｔｕｒｅ，Ｖｏｌ．４９９，Ｎｏ．７４５９，Ｐｇ．４８１−４８４．
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
オープンリーディングフレームを含むメッセンジャーＲＮＡを生成する方法であって、
（ａ）ＤＮＡ鋳型と、アデノシン三リン酸（ＡＴＰ）、シチジン三リン酸（ＣＴＰ）、ウリジン三リン酸（ＵＴＰ）、グアノシン三リン酸（ＧＴＰ）またはそれぞれのヌクレオシドの類似体を含むヌクレオシド三リン酸（ＮＴＰ）と、緩衝液とを含む反応混合物を形成することと、
（ｂ）前記反応混合物をインキュベートし、メッセンジャーＲＮＡを含む組成物を生成することとを包含し、
ここで
ＧＴＰの濃度対ＡＴＰの濃度の比が少なくとも２：１であり、ＧＴＰの濃度対ＣＴＰの濃度の比が少なくとも２：１であり、ＧＴＰの濃度対ＵＴＰの濃度の比が少なくとも２：１である、方法。
【請求項２】
前記反応混合物がＧＴＰ及びＧＤＰを含み、かつＧＴＰ＋ＧＤＰの濃度対ＡＴＰ、ＣＴＰまたはＵＴＰのいずれか１つの濃度の比が、少なくとも２：１である、請求項１に記載の方法。
【請求項３】
ＧＴＰ＋ＧＤＰの濃度対ＡＴＰ、ＣＴＰ及びＵＴＰの濃度の比が、それぞれ少なくとも３：１、少なくとも６：１及び少なくとも６：１である、請求項２に記載の方法。
【請求項４】
前記反応混合物がグアノシン二リン酸（ＧＤＰ）をさらに含む、請求項１に記載の方法。
【請求項５】
前記組成物が、逆相補体転写産物を実質的に含まない、請求項１に記載の方法。
【請求項６】
前記メッセンジャーＲＮＡの質量の９０％超が一本鎖全長転写物を含む、請求項１に記載の方法。
【請求項７】
前記組成物が、ＲＮＡｓｅ  ＩＩＩ非感受性断片を実質的に含まない、請求項１に記載の方法。
【請求項８】
前記組成物がセンス配向の一本鎖部分ＲＮＡ転写物の集団を含み、かつ前記センス配向の一本鎖部分ＲＮＡ転写物の集団の８０％超が１００ヌクレオチド以下のヌクレオチド長を有する、請求項１に記載の方法。
【請求項９】
前記センス配向の一本鎖部分ＲＮＡ転写物の集団の９０％超が１００ヌクレオチド以下のヌクレオチド長を有する、請求項８に記載の方法。
【請求項１０】
前記組成物中の前記ＲＮＡの質量の０．２５％未満がサイトカイン誘導性のＲＮＡ混入物である、請求項１に記載の方法。
【請求項１１】
前記組成物がサイトカイン誘導性のＲＮＡ混入物を実質的に含まない、請求項１０に記載の方法。
【請求項１２】
前記組成物中の前記ＲＮＡの質量の０．５％未満が逆相補体転写産物である、請求項１に記載の方法。
【請求項１３】
前記逆相補体転写産物が、前記メッセンジャーＲＮＡの少なくとも一部の逆相補体である配列を含む鎖を含むｄｓＲＮＡであるか、またはポリＵ含有配列を含む鎖を含むｄｓＲＮＡである、請求項１２に記載の方法。
【請求項１４】
前記メッセンジャーＲＮＡの逆相補体である配列を含む前記鎖、または前記ポリＵ配列を含む前記鎖が、５’三リン酸（５’−ＰＰＰ）で開始する、請求項１３に記載の方法。
【請求項１５】
前記逆相補体転写産物が、目的のポリペプチドをコードする、前記メッセンジャーＲＮＡの５’末端の逆相補体及び／または前記メッセンジャーＲＮＡの３’末端の逆相補体を含む、請求項１２に記載の方法。
【請求項１６】
前記メッセンジャーＲＮＡが目的のポリペプチドをコードするＲＮＡであり、前記目的のポリペプチドをコードするメッセンジャーＲＮＡの逆相補体が、前記目的のポリペプチドをコードするメッセンジャーＲＮＡのオープンリーディングフレームの全部または一部に相補的な配列を含む、請求項１に記載の方法。
【請求項１７】
オープンリーディングフレームを含むメッセンジャーＲＮＡを生成する方法であって、
（ａ）ＤＮＡ鋳型と、アデノシン三リン酸（ＡＴＰ）、シチジン三リン酸（ＣＴＰ）、ウリジン三リン酸（ＵＴＰ）、グアノシン三リン酸（ＧＴＰ）またはそれぞれのヌクレオシドの類似体を含むヌクレオシド三リン酸（ＮＴＰ）と、緩衝液とを含む反応混合物を形成することと、
（ｂ）前記反応混合物をインキュベートし、メッセンジャーＲＮＡを含む組成物を生成することとを包含し、
ここで
ＧＴＰの濃度対ＡＴＰの濃度の比が少なくとも２：１であり、ＧＴＰの濃度対ＣＴＰの濃度の比が少なくとも４：１であり、ＧＴＰの濃度対ＵＴＰの濃度の比が少なくとも４：１である、方法。
【請求項１８】
ＧＴＰの濃度対ＡＴＰの濃度の比が２：１であり、ＧＴＰの濃度対ＣＴＰの濃度の比が４：１であり、ＧＴＰの濃度対ＵＴＰの濃度の比が４：１である、請求項１７に記載の方法。
【手続補正２】
【補正対象書類名】明細書
【補正対象項目名】０３３３
【補正方法】変更
【補正の内容】
【０３３３】
【化１】
2019533476.tif 000001
【手続補正３】
【補正対象書類名】明細書
【補正対象項目名】配列表
【補正方法】変更
【補正の内容】
【配列表】
2019533476000001.app
【手続補正４】
【補正対象書類名】図面
【補正対象項目名】図３５
【補正方法】変更
【補正の内容】
【図３５】
2019533476.tif 000002
【手続補正５】
【補正対象書類名】図面
【補正対象項目名】図３６
【補正方法】変更
【補正の内容】
【図３６】
2019533476.tif 000003
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
個体における遺伝子治療手法の成功見込みを予測する方法であって、
前記遺伝子治療手法は、レトロウイルスによって引き起こされるＤＮＡ損傷及び前記個体のゲノム内への外因性核酸の組込みを含み、
レトロウイルスを使用して、前記個体からの細胞試料中に二本鎖切断の形態でＤＮＡ損傷を誘発すること、
前記試料中の前記個体の細胞が前記二本鎖切断を修復する能力を評価すること、及び
それによって前記個体がレトロウイルスによって引き起こされるＤＮＡ損傷に耐えることが可能かを見極めることを含む、方法。
【請求項２】
前記試料中の前記個体の細胞が前記ＤＮＡ損傷を修復する能力の評価は、前記試料中のＤＮＡ損傷修復のマーカーを検出することを含む、請求項１に記載の方法。
【請求項３】
前記試料中の前記個体の細胞が前記ＤＮＡ損傷を修復する能力の評価は、前記試料中の１つ以上のタンパク質の修飾を検出することを含む、請求項１又は２に記載の方法。
【請求項４】
前記修飾はリン酸化である、請求項３に記載の方法。
【請求項５】
前記マーカー又は前記タンパク質の修飾は、抗体に基づく方法を用いて検出される、請求項２、３、又は４に記載の方法。
【請求項６】
前記検出は、前記個体に対するＤＮＡ修復形態を導くように２回以上の時点に実施される、請求項２〜５のいずれか一項に記載の方法。
【請求項７】
前記検出は、感染後の０分、５分、３０分、１時間、６時間、１２時間、２４時間、４８時間、及び７２時間のうちの少なくとも１回の時点に実施される、請求項２〜６のいずれか一項に記載の方法。
【請求項８】
前記検出は、各時点に存在するマーカー又は修飾タンパク質の量の測定値を取得することを含む、請求項２〜７のいずれか一項に記載の方法。
【請求項９】
存在するマーカー又は修飾タンパク質の量は、前記細胞試料中の細胞核あたりの増殖巣の数を測定して決定する、請求項８に記載の方法。
【請求項１０】
前記試料中の前記個体の細胞が前記ＤＮＡ損傷を修復する能力の評価は、γＨ２ＡＸの存在を検出することを含む、請求項１〜９のいずれか一項に記載の方法。
【請求項１１】
前記試料中の前記個体の細胞が前記ＤＮＡ損傷を修復する能力の評価は、リン酸化５３ＢＰ１の存在を検出することを含む、請求項１〜１０のいずれか一項に記載の方法。
【請求項１２】
前記試料中の前記個体の細胞が前記ＤＮＡ損傷を修復する能力の評価は、γＨ２ＡＸ及び／又はリン酸化５３ＢＰ１のその後の消失を監視することを含む、請求項１０又は１１に記載の方法。
【請求項１３】
前記試料は前記個体由来のＴ細胞を含む、請求項１〜１２のいずれか一項に記載の方法。
【請求項１４】
レトロウイルスによって運ばれる導入遺伝子の前記細胞試料中の発現の成功を測定すること含む、請求項１〜１３のいずれか一項に記載の方法。
【請求項１５】
前記導入遺伝子はβ−ガラクトシダーゼである、請求項１４に記載の方法。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)によって、第1の制御サブバンドを監視するステップであって、前記第1の制御サブバンドは、システム帯域幅よりも狭い帯域幅を有する、ステップと、
前記UEにおいて動的アクティブ化信号を受信するステップであって、前記動的アクティブ化信号は、少なくとも第2の制御サブバンドを監視するよう前記UEをトリガする、ステップと、
前記動的アクティブ化信号に応答して前記少なくとも前記第2の制御サブバンドを監視するステップと
を含み、
前記第1の制御サブバンドの第1のサブバンドタイプは、共通制御探索空間を含み、
前記少なくとも前記第2の制御サブバンドの第2のサブバンドタイプは、
一次UE固有探索空間、
二次UE固有探索空間、
複数のUE固有探索空間、または
それらの組合せ
のうちの1つまたは複数を含む、方法。
【請求項２】
前記第1の制御サブバンドと前記少なくとも前記第2の制御サブバンドの両方を監視するステップ
をさらに含む、請求項1に記載の方法。
【請求項３】
前記第1の制御サブバンドまたは前記少なくとも前記第2の制御サブバンドのうちの少なくとも1つは、一次機能および二次機能を有する探索空間を含む、請求項1に記載の方法。
【請求項４】
前記一次機能は、ブロードキャスト機能、グループキャスト機能、共通スケジューリング機能、専用スケジューリング機能、またはそれらの組合せのうちの少なくとも1つに関連付けられ、
前記二次機能は、前記一次機能とは異なる機能であり、前記ブロードキャスト機能、前記グループキャスト機能、前記共通スケジューリング機能、前記専用スケジューリング機能、またはそれらの組合せのうちの少なくとも1つに関連付けられる、請求項3に記載の方法。
【請求項５】
前記第1の制御サブバンドは、スロットの選択されたセットにおいて監視される、請求項1に記載の方法。
【請求項６】
前記UEのトラフィック状態を決定するステップであって、前記トラフィック状態は、
前記UEがユニキャスト動作に積極的に関与していないか、もしくは広いデータ帯域幅を伴わないユニキャスト動作に積極的に関与している、のいずれかである狭帯域状態、または
前記UEが前記広いデータ帯域幅を含むユニキャスト動作に積極的に関与している広帯域状態
のうちの1つを含む、ステップをさらに含み、
前記少なくとも前記第2の制御サブバンドの前記サブバンドタイプは、前記UEの前記トラフィック状態に従って決定される、請求項1に記載の方法。
【請求項７】
前記UEにおいて、前記少なくとも前記第2の制御サブバンドのロケーションおよびサイズを識別する半静的信号を受信するステップであって、前記UEは、前記動的アクティブ化信号の前記受信に応答して、前記少なくとも前記第2の制御サブバンドの前記ロケーションに同調する、ステップ
をさらに含む、請求項1に記載の方法。
【請求項８】
前記動的アクティブ化信号は、制御チャネル送信または媒体アクセス制御(MAC)制御要素(CE)のうちの1つを介して受信されてよく、
前記半静的信号は、無線リソース制御(RRC)メッセージを介して受信されてよい、請求項7に記載の方法。
【請求項９】
前記UEが前記監視および前記受信を実行するコンポーネントキャリアは、広帯域コンポーネントキャリアであり、前記サブバンドタイプは、複数のUE固有探索空間を含む、請求項1に記載の方法。
【請求項１０】
前記複数のUE固有探索空間の各々に関するスケジューリングを受信するステップであって、前記スケジューリングは、前記広帯域コンポーネントキャリア内の同じスロットでのダウンリンク送信またはアップリンク送信のうちの1つをスケジュールする、ステップ
をさらに含む、請求項9に記載の方法。
【請求項１１】
前記同じスロットにおける送信の最大数を識別するステップ
をさらに含む、請求項10に記載の方法。
【請求項１２】
ワイヤレス通信のために構成された装置であって、
ユーザ機器(UE)によって、第1の制御サブバンドを監視するための手段であって、前記第1の制御サブバンドは、システム帯域幅よりも狭い帯域幅を有する、手段と、
前記UEにおいて動的アクティブ化信号を受信するための手段であって、前記動的アクティブ化信号は、少なくとも第2の制御サブバンドを監視するよう前記UEをトリガする、手段と、
前記動的アクティブ化信号に応答して前記少なくとも前記第2の制御サブバンドを監視するための手段と
を含み、
前記第1の制御サブバンドの第1のサブバンドタイプは、共通制御探索空間を含み、
前記少なくとも前記第2の制御サブバンドの第2のサブバンドタイプは、
一次UE固有探索空間、
二次UE固有探索空間、
複数のUE固有探索空間、または
それらの組合せ
のうちの1つまたは複数を含む、装置。
【請求項１３】
前記第1の制御サブバンドと前記少なくとも前記第2の制御サブバンドの両方を監視するための手段をさらに含む、請求項12に記載の装置。
【請求項１４】
前記第1の制御サブバンドまたは前記少なくとも前記第2の制御サブバンドのうちの少なくとも1つは、一次機能および二次機能を有する探索空間を含む、請求項12に記載の装置。
【請求項１５】
少なくとも1つのプロセッサによって実行されたときに請求項1から11のうちのいずれか一項に記載の方法を実行するための命令を含む、コンピュータプログラム。
【手続補正書】
【提出日】令和2年4月23日(2020.4.23)
【手続補正１】
【補正対象書類名】明細書
【補正対象項目名】００１６
【補正方法】変更
【補正の内容】
【００１６】
ここで図１を参照しながら、本発明の実施形態による好適な電力システムを説明する。図に示すように、故障電流リミッタ（ＦＣＬ）１０１を含む電力システム１００が、電力を発生して様々な工業、商標、及び／または住宅の電気的負荷に送り届ける発電、送電、及び配電の回路網を含むように実現される。ＦＣＬ１０１は第１電流分割装置（ＣＳＤ：current splitting device）１０２及び第２電流分割装置（ＣＳＤ）１０６を含むことができ、第１ＣＳＤ１０２は第１故障電流リミッタ・モジュール（ＦＣＬＭ：fault current limiter module）１０４に電気結合され、第２ＣＳＤ１０６は第１ＣＳＤ１０２に電気結合されている。一部の実施形態では、ＦＣＬ１０１が第３ＣＳＤ１０７を含むことができる。図に示すように、第２ＣＳＤ１０６は、第１ＦＣＬＭ１０４及び第３ＣＳＤ１０７に、そして第２ＦＣＬＭ１０８にさらに結合されている。一部の実施形態では、第１及び第２ＣＳＤ１０２、１０６の各々が、交互配置された巻線を有するモジュール式電流分割リアクトルであり、これについては以下でより詳細に説明する。
【手続補正２】
【補正対象書類名】明細書
【補正対象項目名】００１７
【補正方法】変更
【補正の内容】
【００１７】
さらに図示するように、電力システム１００は、導体１１５及び１１７を介してＡＣ電源１１０と１つ以上の電気負荷１１２との間に直列に電気接続することができる。ＦＣＬ１０１は、故障電流制限が望まれる他の種々の応用及び電力システム構成において実現することができることは、当業者にとって明らかである。従って、図１に示す特定の電力システム１００は一例として示し、限定的であることは意図していない。
【手続補正３】
【補正対象書類名】明細書
【補正対象項目名】００１９
【補正方法】変更
【補正の内容】
【００１９】
本明細書中に記載するＦＣＬ１０１は、例えば送電、配電、及び発電システムのようなあらゆる電気システムにおいて故障電流を制限するように実現することができる。さらに、一部の場合には、交互配置された巻線を有するＣＳＤ１０２、１０６、１０７を、超電導ＦＣＬ、固体ＦＣＬ、高速スイッチＦＣＬ、あるいは一般に、システムを故障電流から保護するように構成されたあらゆる故障電流制限回路の形で実現することができ、こうした故障電流制限回路では、正常動作中には低い挿入インピーダンスを意図している。一部の例では、ＦＣＬ１０１が飽和鉄心またはシールドコア（遮蔽磁芯）を含むことができる。非限定的な一例では、本明細書中に記載するように交互配置された巻線を有する第１、第２、及び第３ＣＳＤ１０２、１０６、１０７を有するＦＣＬ１０１を設けて、高い挿入インピーダンスを有する飽和鉄心ＦＣＬの挿入インピーダンスを低下させることができる。さらに、本明細書中に提供する種々の例は、高周波または低周波システム用のＦＣＬ装置において実現することができる。
【手続補正４】
【補正対象書類名】明細書
【補正対象項目名】００２８
【補正方法】変更
【補正の内容】
【００２８】
より具体的には、図示するように、ＦＣＬ１０１を「ｎ」個の部分（例えば、「ｎ」個のＣＳＤ）に分割し、各部分は電圧降下Ｖ／ｎを有する一次巻線、及び一次巻線に対する巻線比１：ｗを有する二次巻線を含む。従って、巻線間に生じる電圧の最大値は(１＋ｗ)Ｖ／ｎになる。例えば図４に示すように、リアクトル構成の終端を閉じることによって、各ＦＣＬＭ１０４、１０８の電圧は次式のように計算することができる：
Ｖ＝−ｗＶ／ｎ＋Ｖs−ｗＶ／ｎ＋Ｖs−ｗＶ／ｎ  ＝＞  Ｖ＝−３ｗＶ／ｎ＋２Ｖs
【手続補正５】
【補正対象書類名】明細書
【補正対象項目名】００３０
【補正方法】変更
【補正の内容】
【００３０】
その結果、全モジュールの両端間に見られる電圧は(１＋ｗ)Ｖとなる。この場合、上記リアクトルを２７個のセグメントに分割して、（例えば、各々の定格が少なくとも３．３kVの）２６個のスイッチを設置することによって、これらのリアクトル・セグメントにおける巻線間電圧は１．６５kVになり、ＦＣＬ１０１にとって必要な絶縁をより一層達成可能にする。